(57)【要約】【課題】ＩＣカード発行者が発行するＩＣカードの書き込み可能領域への、アプリケーション提供者が提供するアプリケーションの効率的な取次と、個人情報等の変更等の取扱を簡易に行うことを可能にすることを目的とする。【解決方法】ＩＣカードサービス取次事業者１０は利用者が利用者端末５１、通信回線８０を通じてＩＣカードサービス取次事業者端末１１に接続し個人認証を行うことで、ＩＣカード６０の書き込み可能領域６１にアプリケーション提供者３０が提供するアプリケーションの格納・追加・削除または個人情報の変更・確認等を可能にする。また複数存在するＩＣカードサービス取次事業者間で個別のＩＣカードサービス取次事業者認識コードまたはメモリ容量等を読み取り、アプリケーションの迫加・削除、個人情報の変更・確認等を、格納を行ったＩＣカードサービス取次事業者以外のＩＣカードサービス取次事業者でも可能にする。【選択図】　図１
2004139546.tif 000002
【特許請求の範囲】
【請求項１】
ＩＣカード発行者が発行する複数のアプリケーションを取り扱うことが可能なマルチケーションＩＣカードの書き込み可能領域に書き込むアプリケーションや個人情報等の取次システムであり、
当該ＩＣカードサービス取次システムは、
複数のアプリケーションを格納することが可能なマルチアプリケーションＩＣカードと、
ＩＣカードを発行するＩＣカード発行者のＩＣカード発行者端末と、
利用者が前記ＩＣカード発行者の発行するＩＣカードの書き込み可能領域へのアプリケーションの格納等を行う際に利用する画面を利用者端末に表示させるよう処理を行う、ＩＣカードサービス取次事業者の保有するＩＣカードサービス取次事業者端末と、
前記ＩＣカード発行者の発行するＩＣカードの書き込み可能領域へ格納できるアプリケーションを提供するアプリケーション提供者の保有するアプリケーション提供者端末と、
通信回線を通じＩＣカードサービス取次事業者端末に接続する利用者端末と、
利用者が前記ＩＣカードを読み込み書き込みの際に利用する読み込み書き込み端末と、を備え、
ＩＣカード発行者は、ＩＣカード交付に際し、予めＩＣカード毎に異なるカード番号と、利用者を識別するためのＩＤとパスワード等の個人認証情報、その他必要とする個人情報等を紐付けてＩＣカード発行者端末に保有し、
利用者が、ＩＣカードに格納されたアプリケーションの取扱等のために利用するＩＣカードサービス取次事業者の運営するＩＣカードサービス取次サイトの利用登録を初回利用時に行う際、ＩＣカードサービス取次事業者は利用者に、ＩＣカード発行者が予め利用者に付与するＩＤ、パスワード等の個人認証情報、その他必要とする個人情報等を入力させ、通信回線を通じＩＣカード発行者端末に接続し、ＩＣカード発行者端末に格納されたＩＤ、パスワード等の個人認証情報、その他個人情報等と照合し、利用者が当該ＩＣカードを発行された本人であることを確認した上でアプリケーションの格納等の取扱を許可し、なりすまし利用などの防止など、セキュリティを高めることができるシステム。
【請求項２】
請求項１に記載のＩＣカードサービス取次システムにおいて、ＩＣカードサービス取次事業者は、自らが運営するＩＣカードサービス取次サイト利用の際のＩＤ、パスワード等の個人認証情報等を発行し、その他個人情報等とともに、当該ＩＤ、個人認証情報、個人情報等をＩＣカード発行者の発行したＩＣカード番号とＩＣカード発行者を識別するためのＩＣカード発行者認識コード等と紐付けてＩＣカードサービス取次事業者端末に記録し、これにより初期登録時に当該利用者にカード発行者により付与されたＩＤ、個人情報等を参照し利用者を確認した上でＩＣカードサービス取次サイト用ＩＤ、個人認証情報等を配布し、その他必要とする個人情報等とともにＩＣカード発行者の発行したＩＣカード番号とＩＣカード発行者認識コード等と紐付けし、ＩＣカードサービス取次事業者端末に記録をして管理することで、通常利用の際、ＩＣカード発行者ＩＤ、個人情報等を参照しなくても、利用者がＩＣカードを発行された本人であることを確認することができるシステム。
【請求項３】
請求項１、２に記載のＩＣカードサービス取次システムにおいて、複数のＩＣカードサービス取次事業者の利用者が初めて当該ＩＣカードサービス取次サイトを利用する際の初期登録時にそれぞれ個別に付与した、一つのＩＣカード発行者の発行するＩＣカード番号とＩＣカード発行者認識コード等と紐付けされた、利用者毎のＩＤ、その他必要とする個人情報等を、利用者のＩＣカードの書き込み可能領域にそれぞれ書き込むことにより、１枚のＩＣカードの交付後に複数のＩＣカードサービス取次事業者がそれぞれ個別に配布するＩＤ等を識別することにより、当該カードが発行された利用者に対して、複数のＩＣカードサービス取次事業者がそれぞれサービス提供を可能にするシステム。
【請求項４】
請求項１、２、３に記載のＩＣカードサービス取次システムにおいて、一定の基準を満たした利用者にのみアプリケーションの取扱を許可する場合など、ＩＣカードに格納されるアプリケーションの提供者が必要とする場合は、アプリケーション提供者がそれぞれ利用者に発行するＩＤ、個人認証情報、その他個人情報等をＩＣカードの書き込み可能領域に書き込むことにより、もしくはＩＣカードサービス取次事業者の運営するＩＣカードサービス取次サイトを通じアプリケーション提供者が当該利用者に発行したＩＤ、個人認証情報、その他個人情報等を入力させることで、利用者を認証し、当該利用者がアプリケーションの取扱を許可された利用者であることを確認した上で、サービス提供を可能にするシステム。
【請求項５】
複数存在することが予想されるＩＣカードサービス取次事業者間でのＩＣカードサービス取次を実現するシステムであり、利用者がＩＣカードサービス取次事業者の運営するＩＣカードサービス取次サイトを利用してＩＣカードにアプリケーションを格納する場合は、アプリケーションとともに利用者のＩＣカードの書き込み可能領域に書き込まれるアプリケーション識別子、個人情報等に、複数のＩＣカードサービス取次事業者間で予め開示されるＩＣカードサービス取次事業者認識コードが付番されることにより、アプリケーションをどのＩＣカードサービス取次事業者で格納したかが確認可能になるシステム。尚、ＩＣカードの書き込み可能領域へアプリケーションを格納する際、ここでは書き込み可能領域に任意に格納されたアプリケーションのアプリケーション識別子等に付番されたＩＣカードサービス取次事業者認識コードを利用しているが、書き込み可能領域において、ＩＣカードサービス取次事業者毎にフォルダを設けてアプリケーションを格納する場合、あるいはＩＣカードサービス取次事業者毎にメモリ領域を割り当ててアプリケーションを格納する場合なども同様に前記のシステムを実現することができる。
【請求項６】
請求項５に記載のシステムは、利用者が、利用するＩＣカードに格納したアプリケーションの提供者との間で必要な条件を満たした上で、ＩＣカードサービス取次事業者が予め提携するＩＣカードサービス取次事業者の運営するＩＣカードサービス取次サイトにて格納したアプリケーションの更新、削除、または個人情報の変更等を要求する場合、ＩＣカードサービス取次事業者端末はＩＣカードの書き込み可能領域に記録されている、アプリケーションを格納した提携先ＩＣカードサービス取次事業者のＩＣカードサービス取次事業者認識コードを識別することにより、提携先ＩＣカードサービス取次事業者を判別し、提携先ＩＣカードサービス取次事業者に対し、即座に利用者が当該アプリケーションの更新・削除、個人情報の変更等を行った旨を伝達するか、あるいはＩＣカードサービス取次事業者の運営するＩＣカードサービス取次サイト上で、提携先ＩＣカードサービス取次事業者の運営するＩＣカードサービス取次サイトを通じてアプリケーション等の変更を行うように利用者に伝達し促すシステム。いずれの場合も、当該利用者のアプリケーションの変更情報は、変更を行ったＩＣカードサービス取次事業者端末を通じアプリケーション提供者端末ならびにＩＣカード発行者端末においても更新される。これにより、ＩＣカード発行者はＩＣカードの書き込み可能領域の利用状況を把握し、アプリケーション事業者ごとの占有率等により、利用料を徴収することなども可能である。
【発明の詳細な説明】
【０００１】
【発明の属する技術分野】本発明は複数のアプリケーションを格納し取り扱うことが可能なマルチアプリケーションＩＣカードの書き込み可能領域へのアプリケーションや個人情報等の取次システムおよび、複数存在するＩＣカードサービス取次事業者間でのＩＣカードアプリケーション、個人情報等の取次システムに関する。
【０００２】
【従来の技術】従来、多く普及している磁気カードは日常生活の中で欠かせないものとなっているが、情報化社会が進展し利便性とセキュリティを兼ね備えたカードが求められている中で、マルチアプリケーションＩＣカードの需要は今後増えることが予想される。現在のＩＣカードの大半は単一の機能のみであり、ＩＣカードの機能の一部しか活用できていないが、ＩＣカードの普及と多機能化に従い、今後はマルチアプリケーションＩＣカードで様々な機能のアプリケーションを効率的に提供する手段および取り扱う手段が望まれると予想される。
【０００３】
【発明が解決しようとしている課題】前記のように単一機能のみのＩＣカードが一般的な現状においてＩＣカード発行者とそのＩＣカードを用いて利用可能なアプリケーションサービスを提供するアプリケーション提供者が個別に契約する等のビジネススキームが主流であり、今後前記課題を解決すべく複数のアプリケーションを提供する等のサービスを行うＩＣカードサービス取次事業等の新たなビジネススキームの出現が予想されるが、ＩＣカードサービス取次事業者が複数存在する場合のビジネススキームは現在存在しておらず、またその場合、ＩＣカードシステム間での互換性がなく、利用者が一枚のＩＣカードを複数のＩＣカードサービス取次事業者の運営するＩＣカードサービス取次サイトを利用し取り扱うことが困難な状況である。
【０００４】本発明の目的は、複数のアプリケーション提供者、利用者および複数のＩＣカードサービス取次事業者を結び、効率的なマルチアプリケーション取扱スキームを実現するＩＣカードサービス取次システムを提供することである。
【０００５】
【課題を解決するための手段】上記課題を解決するために、請求項１の発明においては、
当該ＩＣカードサービス取次システムは、複数のアプリケーションを格納することが可能なマルチアプリケーションＩＣカードと、ＩＣカードを発行するＩＣカード発行者のＩＣカード発行者端末と、利用者が前記ＩＣカード発行者の発行するＩＣカードの書き込み可能領域へのアプリケーションの格納等を行う際に利用する画面を利用者端末に表示させるよう処理を行う、ＩＣカードサービス取次事業者の保有するＩＣカードサービス取次事業者端末と、前記ＩＣカード発行者の発行するＩＣカードの書き込み可能領域へ格納できるアプリケーションを提供するアプリケーション提供者の保有するアプリケーション提供者端末と、通信回線を通じＩＣカードサービス取次事業者端末に接続する利用者端末と、利用者が前記ＩＣカードを読み込み書き込みの際に利用する読み込み書き込み端末と、を備え、ＩＣカード発行者は、ＩＣカード交付に際し、予めＩＣカード毎に異なるカード番号と、利用者を識別するためのＩＤとパスワード等の個人認証情報その他必要とする個人情報等を紐付けてＩＣカード発行者端末に保有し、利用者が、ＩＣカードに格納されたアプリケーションの取扱等のために利用するＩＣカードサービス取次事業者の運営するＩＣカードサービス取次サイトの利用登録を初回利用時に行う際、ＩＣカードサービス取次事業者は利用者に、ＩＣカード発行者が予め利用者に付与するＩＤ、パスワード等の個人認証情報、その他必要な場合は個人情報等を入力させ、通信回線を通じＩＣカード発行者端末に接続し、ＩＣカード発行者端末に格納されたＩＤ、パスワード等の個人認証情報、その他個人情報等と照合し、利用者が当該ＩＣカードを発行された本人であることを確認した上でアプリケーションの格納等の取扱を許可し、なりすまし利用などの防止など、セキュリティを高めることができるシステム。
【０００６】請求項２の発明においては、請求項１に記載のＩＣカードサービス取次システムにおいて、ＩＣカードサービス取次事業者は、自らが運営するＩＣカードサービス取次サイト利用の際のＩＤ、パスワード等の個人認証情報等を発行し、その他個人情報等とともに、当該ＩＤ、個人認証情報、個人情報等をＩＣカード発行者の発行したＩＣカード番号とＩＣカード発行者認識コード等と紐付けてＩＣカードサービス取次事業者端末に記録し、これにより初期登録時に、当該利用者にカード発行者により付与されたＩＤ、個人情報等を参照し利用者を確認した上でＩＣカードサービス取次サイト用ＩＤ、個人認証情報等を配布し、その他必要とする個人情報等とともに、ＩＣカード発行者の発行したＩＣカード番号とＩＣカード発行者認識コード等と紐付けし、ＩＣカードサービス取次事業者端末に記録をして管理することで、通常利用の際、ＩＣカード発行者ＩＤを参照しなくても、利用者がＩＣカードを発行された本人であることを確認することができるシステム。
【０００７】請求項３の発明においては、請求項１、２に記載のＩＣカードサービス取次システムにおいて、複数のＩＣカードサービス取次事業者が利用者が初めて当該ＩＣカードサービス取次サイトを利用する際の初期登録時にそれぞれ個別に付与した、一つのＩＣカード発行者の発行するＩＣカード番号、ＩＣカード発行者認識コード等と紐付けされた、利用者毎のＩＤ、その他必要とする個人情報等を、利用者のＩＣカードの書き込み可能領域にそれぞれ書き込むことにより、１枚のＩＣカードの交付後に複数のＩＣカードサービス取次事業者がそれぞれ個別に配布するＩＤ等を識別することにより、当該カードが発行された利用者に対して、複数のＩＣカードサービス取次事業者がそれぞれサービス提供を可能にするシステム。
【０００８】請求項４の発明において、請求項１、２、３に記載のＩＣカードサービス取次システムにおいて、一定の基準を満たした利用者にのみアプリケーションの取扱を許可する場合など、ＩＣカードに格納されるアプリケーションの提供者が必要とする場合は、アプリケーション提供者がそれぞれ利用者に発行するＩＤ、個人情報等をＩＣカードの書き込み可能領域に書き込むことにより、もしくはＩＣカードサービス取次事業者の運営するＩＣカードサービス取次サイトを通じアプリケーション提供者が当該利用者に発行したＩＤ、個人認証情報、その他必要とする個人情報等を入力させることにより、利用者を認証し、当該利用者がアプリケーションの取扱を許可された利用者であることを確認した上で、サービス提供を可能にするシステム。
【０００９】請求項５の発明において、複数存在することが予想されるＩＣカードサービス取次事業者間でのＩＣカードサービス取次を実現するシステムであり、利用者がＩＣカードサービス取次事業者の運営するＩＣカードサービス取次サイトを利用してＩＣカードにアプリケーションを格納する場合は、アプリケーションとともに利用者のＩＣカードの書き込み可能領域に書き込まれるアプリケーション識別子と個人情報等に、複数のＩＣカードサービス取次事業者間で予め開示されるＩＣカードサービス取次事業者認識コードが付番されることにより、利用者がアプリケーションをどのＩＣカードサービス取次事業者で格納したかを確認可能とする。尚、ＩＣカードの書き込み可能領域へアプリケーションを格納する際、ここでは書き込み可能領域に任意に格納されたアプリケーションのアプリケーション識別子等に付番されたＩＣカードサービス取次事業者認識コードを利用しているが、書き込み可能領域において、ＩＣカードサービス取次事業者毎にフォルダを設けてアプリケーションを格納する場合、あるいはＩＣカードサービス取次事業者毎にメモリ領域を割り当ててアプリケーションを格納する場合なども同様に前記のシステムを実現することができる。
【００１０】請求項６の発明において、請求項５に記載のシステムは、利用者が、利用するＩＣカードに格納したアプリケーションの提供者との間で必要な条件を満たした上で、ＩＣカードサービス取次事業者が予め提携するＩＣカードサービス取次事業者の運営するＩＣカードサービス取次サイトにて格納したアプリケーションの更新、削除、または個人情報の変更等を要求する場合、ＩＣカードサービス取次事業者端末はＩＣカードの書き込み可能領域に記録されている、アプリケーションを格納した提携先ＩＣカードサービス取次事業者のＩＣカードサービス取次事業者認識コードを識別することにより、提携先ＩＣカードサービス取次事業者を判別し、提携先ＩＣカードサービス取次事業者に対し、即座に利用者が当該アプリケーションの更新・削除、個人情報の変更等を行った旨を伝達するか、あるいはＩＣカードサービス取次事業者の運営するＩＣカードサービス取次サイト上で、提携先ＩＣカードサービス取次事業者の運営するＩＣカードサービス取次サイトを通じてアプリケーション等の変更を行うように利用者に伝達し促す。いずれの場合も、当該利用者のアプリケーションの変更情報は変更を行ったＩＣカードサービス取次事業者端末を通じアプリケーション提供者端末ならびにＩＣカード発行者端末においても更新される。これにより、ＩＣカード発行者はＩＣカードの書き込み可能領域の利用状況を把握し、アプリケーション事業者ごとの占有率等により、利用料を徴収することなども可能である。
【００１１】
【発明の実施の形態】次に、本発明の実施の形態について図面を参照して説明する。図１はＩＣカードサービス取次システムの模式図である。
【００１２】本発明のＩＣカードサービス取次システムは、ＩＣカード発行者４０が発行する書き込み可能領域を有するＩＣカード６０と、ＩＣカード発行者４０が発行するＩＣカード６０の書き込み可能領域６１へのアプリケーションの搭載等を仲介するＩＣカードサービス取次事業者１０のＩＣカードサービス取次事業者端末１１とＩＣカード発行者４０の発行するＩＣカード６０に搭載するアプリケーションを提供するアプリケーション提供者３０のアプリケーション提供者端末３１とＩＣカードの利用者５０が通信回線接続に利用する利用者端末５１とＩＣカード６０の読み込み書き込みに利用する読み込み書き込み端末５２と備え、ＩＣカードサービス取次事業者端末１１とアプリケーション提供者端末３１とＩＣカード発行者端末４１と利用者端末５１と読み込み書き込み端末５２とはインターネットを含む通信回線７０で結ばれている。一つのＩＣカード発行者４０に対し、ＩＣカード５０、ＩＣカードサービス取次事業者１０、アプリケーション提供者３０はともに複数存在してもよい。
【００１３】次に図１を参照して、ＩＣカードサービス取次システムの概要を説明する。ＩＣカード発行者４０は、ＩＣカード交付に際し、予めＩＣカード毎に異なるカード番号と、利用者を識別するためのＩＤとパスワード等の個人認証情報その他必要とする個人情報等を紐付けてＩＣカード発行者端末４１に保有する。ＩＣカードサービス取次事業者１０は、ＩＣカード発行者４０が発行するＩＣカード６０の利用者５０がＩＣカード６０にアプリケーションの格納等を行うために利用者端末５１を操作することにより通信回線７０を通じてＩＣカードサービス取次事業者１０の端末１１に最初に接続する際に、利用者５０に対して、ＩＣカード発行者４０から付与されたＩＤ、個人認証情報等と、その他必要な場合は個人情報等の登録を要求する。ＩＣカードサービス取次事業者端末１１は、通信回線７０を通じＩＣカード発行者端末４１に接続し、利用者５０が入力したＩＣカード発行者４０に付与されたＩＤ、個人認証情報、その他個人情報等を、ＩＣカード発行者端末４１に格納されたデータと照合し、利用者５０を識別した上、利用者５０に対し、自らＩＤ、パスワード等の個人認証情報を発行し、その他必要な場合は利用者５０の個人情報等とともに、入力されたＩＣカード発行者４０の発行したＩＣカード番号、ＩＣカード発行者認識コード等と紐付けて、ＩＣカードサービス取次事業者１０の端末１１に記録する。ＩＣカードサービス取次事業者１０により発行されたＩＤ等は、利用者５０のＩＣカード６０の書き込み可能領域６１に、予めＩＣカードサービス取次事業者ごとに割り当てられた所定のＩＣカードサービス取次事業者認識コードとともに格納され、今後ＩＣカードサービス取次事業者１０の端末１１に接続する際の認証に利用する。利用者端末５１が通信回線７０を通じてＩＣカードサービス取次事業者１０の端末１１に接続すると、ＩＣカード６０の書き込み可能領域６１に記録されている事業者認識コード並びにＩＣカードサービス取次事業者１０が発行したＩＤを読み込み書き込み端末５２が読みとり、また利用者５０が提示するパスワード等の個人認証情報、個人情報等と、ＩＣカードサービス取次事業者１０の端末１１に記録されている個人認証情報、個人情報等とを照合し、利用者５０を認証する。この場合、初期登録の際にＩＣカード発行者４０のＩＤその他個人情報等と照合を行っているので、通常の利用の都度、ＩＣカード発行者端末４１に確認は不要となる。認証後は利用者の個人専用画面が開き、ＩＣカードサービス取次事業者１０の端末１１から現在格納可能なアプリケーションの情報や現在ＩＣカードに搭載されているアプリケーションの情報確認、また個人情報の確認等が利用者端末５１の個人専用画面上でのダブルクリック等の端末操作により行えることとなる。アプリケーションをＩＣカード６０に格納する場合はＩＣカードサービス取次事業者１０に登録されている個人情報等がアプリケーション提供者３０に送付され、またはアプリケーション提供者３０が、利用者５０のアプリケーションの取扱につき一定の基準を設ける際などは、条件を満たした利用者に対して、アプリケーション提供者３０が自ら発行するＩＤ、個人情報等をＩＣカードサービス取次事業者端末１１を通じてＩＣカード６０に書き込み、もしくは利用者５０がアプリケーションを取り扱う際に利用者端末５１の個人専用画面上にアプリケーション提供者３０に付与されたＩＤ、個人認証情報、個人情報等を入力することで利用者５０を識別し、アプリケーション提供者３０が当該アプリケーションの取扱を許可した利用者にのみ、アプリケーション提供者３０の端末３１から通信回線７０を通じてＩＣカードサービス取次事業者１０の端末１１に送付された、もしくはＩＣカードサービス事業者１０の端末１１に予め預けられ格納されたアプリケーションが、当該ＩＣカードサービス取次事業者１０のＩＣカードサービス取次事業者認識コードが付加されたアプリケーションを識別するアプリケーション識別子とともに、通信回線７０を通じて利用者５０の読み込み書き込み端末５２からＩＣカード６０の書き込み可能領域６１へ格納される。この際、利用者５０のＩＣカード６０へのアプリケーション格納情報は、アプリケーション提供者３０が利用者に発行したＩＤ等がある場合は当該データとともに、アプリケーション提供者３０の端末３１に登録される。またＩＣカードサービス取次事業者１０によりＩＣカード発行者４０にもＩＣカード６０へのアプリケーション格納情報は伝達される。ＩＣカードサービス取次事業者１０と同様のサービスを行う、他ＩＣカードサービス取次事業者２０も、利用者５０の利用する同一のＩＣカード６０に対し、同様の方法によりサービスを提供できる。これにより、１枚のＩＣカードに対し、複数のＩＣカードサービス取次事業者がサービスを提供することとなる。
【００１４】次に、他ＩＣカードサービス取次事業者の運営するＩＣカードサービス取次サイト上で格納されたアプリケーションや個人情報の更新・削除等の変更の際の取扱について説明する。読み込み書き込み端末６０にアプリケーションが搭載されているＩＣカード６０を読み込ませ、利用者端末５１がＩＣカードサービス取次事業者１０の端末１１に通信回線７０を経由し接続すると、ＩＣカードサービス取次事業者１０が認証を行った上で、利用者５０が、ダブルクリック等の端末操作によりＩＣカードサービス取次事業者１０が予め提携するＩＣカードサービス取次事業者２０の運営するＩＣカードサービス取次サイトにて格納したアプリケーションの削除や個人情報の変更等を要求した場合に、ＩＣカードサービス取次事業者１０の端末１１はＩＣカード６０の書き込み可能領域６１に記録されているアプリケーションを格納した提携先ＩＣカードサービス取次事業者２０のＩＣカードサービス取次事業者認識コードを識別することにより、提携先ＩＣカードサービス取次事業者２０を判別する。ＩＣカードサービス取次事業者１０はアプリケーション提供者３０の端末３１に接続し、アプリケーション提供者３０が必要とする場合はその条件を満たした利用者に対し、アプリケーションの更新・削除等の変更を実施し、当該変更を実施した旨を提携先ＩＣカードサービス取次事業者２０に即座に伝達するか、あるいは利用者５０の利用者端末５１に表示されるＩＣカードサービス取次事業者１０の運営するＩＣカードサービス取次サイト上で、提携先ＩＣカードサービス取次事業者２０の運営するＩＣカードサービス取次サイトを通じて当該アプリケーション等に関する変更を行うように利用者５０に伝達し促す。アプリケーション提供者３０の端末３１では、必要によりアプリケーション提供者３０が許可した上で為された、アプリケーションの更新・削除等の連絡を当該変更を行ったＩＣカードサービス取次事業者１０もしくは２０より受けつけ、利用者５０のアプリケーション格納状況の記録が更新される。またＩＣカードサービス取次事業者１０もしくは２０によりＩＣカード発行者４０にもＩＣカード６０へのアプリケーション格納状況は伝達され、これにより、ＩＣカード発行者はＩＣカードの書き込み可能領域の利用状況を把握し、アプリケーション事業者ごとの占有率等により、利用料を徴収することなども可能である。
【００１５】上記ＩＣカードサービス取次システムにより、ＩＣカードの交付後であっても１枚のＩＣカードにＩＣカード発行者が付与した個別のＩＤ、個人情報等とそれぞれ紐付けられた、複数のＩＣカードサービス取次事業者によるＩＤ、個人情報等をＩＣカードに書き込むことにより、利用者が端末操作によりアプリケーションの入手、削除や個人情報の変更、確認等を行い、また他ＩＣカードサービス取次事業者のシステムを利用し格納したアプリケーション等の取扱もスムーズに行えることとなり、マルチアプリケーションＩＣカードの新たなビジネススキームが確立される。
【００１６】次に具体的なサービスイメージについて実施例について説明する。利用者５０が利用者端末５１を操作し通信回線７０を通じてＩＣカードサービス取次事業者１０の端末１１に接続し、鉄道会社（アプリケーション提供者３０）の定期券アプリケーションを格納しようとする場合に、ＩＣカード発行者４０が発行するＩＣカード６０を利用者端末５１に接続されている読み込み書き込み端末５２に読み込ませ、ＩＣカードサービス取次事業者１０の認証をＩＣカード６０の書き込み可能領域６１に書き込まれているＩＣカードサービス取次事業者１０が発行したＩＤと、利用者が提示する個人認証情報等の入力などにより行い、利用者専用の画面が開かれる。その画面上にＩＣカードサービス取次事業者１０が提携しているアプリケーション提供者のアプリケーションが表示されており、利用者５０がその中から鉄道会社の定期券アプリケーションを選択し、ダブルクリック等の端末操作を行うと、ＩＣカードサービス取次事業者１０に登録済みの個人情報等が鉄道会社の端末に通信回線７０を通じて送付され、ＩＣカードサービス取次事業者１０から提供される個人情報以外の個人情報を鉄道会社が定期券発行の際に必要とする場合は個人情報の入力画面が表示され、利用者が鉄道会社が要求する個人情報を入力することで、鉄道会社側での審査が行われ、また場合によっては鉄道会社が予め個別に利用者に発行したＩＤ、個人認証情報等をさらに入力させること等により利用者５０が定期券アプリケーションの取扱を許可された利用者であることを確認し、定期券発行許可が出ると、鉄道会社端末からＩＣカードサービス取次事業者１０の端末１１へ送付された、または予めＩＣカードサービス取次事業者側に預けられた定期券アプリケーションが、ＩＣカードサービス取次事業者１０の端末１１にてＩＣカードサービス取次事業者認識コードが付加された定期券アプリケーションを識別するアプリケーション識別子とともに、通信回線７０を通じて読み込み書き込み端末５２を経由して利用者５０のＩＣカード６０の書き込み可能領域６１に格納される。利用者５０のアプリケーション格納情報はＩＣカードサービス取次事業者１０を経由し、鉄道会社側端末に登録されるとともに、ＩＣカード発行者４０にも伝達される。
【００１７】次に利用者５０が定期券アプリケーションを削除したい場合は、ＩＣカードの書き込み可能領域６１に定期券アプリケーションが搭載されているＩＣカード６０を読み込み書き込み端末５２に読み込ませ、利用者端末５１を操作し通信回線７０を通じてＩＣカードサービス取次事業者１０の端末１１に接続をし、認証を行った後、利用者専用画面にて定期券アプリケーションの削除を選択することでアプリケーションの削除が可能である。同じように、利用者専用画面にて、定期券の残りの期間等の情報等を確認することも可能である。
【００１８】ＩＣカードサービス取次事業者１０と提携関係にあるＩＣカードサービス取次事業者２０を通じてＩＣカード６０に格納した定期券アプリケーションについて、利用者５０がＩＣカードサービス取次事業者１０を通じて削除を行おうとする場合、ＩＣカードサービス取次事業者端末１１は、ＩＣカード６０の書き込み可能領域６１に記録されているアプリケーションを格納した提携先ＩＣカードサービス取次事業者２０のＩＣカードサービス取次事業者認識コードを識別することにより、提携先ＩＣカードサービス取次事業者２０を判別し、当該アプリケーションの削除を行った旨を提携先ＩＣカードサービス取次事業者２０に伝達するか、或いは利用者５０に対しサイト上で、提携先ＩＣカードサービス取次事業者２０を通じて当該アプリケーションの削除を行うよう伝達し促す。なお、利用者５０のＩＣカード６０の定期券アプリケーション削除情報は、定期券アプリケーションの削除を行ったＩＣカードサービス取次事業者を通じＩＣカード発行者４０へ伝達される。これにより、ＩＣカード発行者はＩＣカードの書き込み可能領域の利用状況を把握し、アプリケーション事業者ごとの占有率等により、利用料を徴収することなども可能である。
【００１９】
【発明の効果】以上説明したような仕組みにより、本発明のＩＣカードサービス取次システムでは以下のような効果が期待できる。
１）　ＩＣカード発行者にとっては、利用者がひとつのＩＣカードに複数のアプリケーションを効率よく搭載することが可能になるので、ＩＣカードの利便性が高まり、ＩＣカードの携帯・利用率向上が見込める。またＩＣカード発行者が発行するＩＤ、個人認証情報、その他個人情報等に加え利用者がそれぞれのＩＣカードサービス取次事業者のＩＣカードサービス取次サイトを利用する毎に、カード発行者の発行したＩＣカード番号、ＩＣカード発行者認識コード等と紐付けされたＩＣカードサービス取次事業者側で発行したＩＤ、個人認証情報、その他個人情報等での認証を行うことにより、ＩＤ、個人認証情報等を重複的に管理し、セキュリティを高められる。また、利用者のＩＣカードの書き込み可能領域の利用状況が把握でき、アプリケーション事
業者ごとの占有率等により応じた利用料徴収を行うことも可能になる。
２）　利用者にとっては、ＩＣカードが交付された後でも、１枚のＩＣカードで複数のＩＣカードサービス取次事業者のサービスを利用でき、端末操作によりＩＣカードのアプリケーションや個人情報の格納、確認、更新、削除等の
変更をすることが可能になり利便性が高まる。
３）　アプリケーション提供者にとっては、利用者が容易にアプリケーションを格納することが可能になるため、アプリケーションの普及が見込める。必要な場合は条件を満たしたもののみを判別してアプリケーションの取扱を許可することができる。また、アプリケーションの提供業務をＩＣカードサービス取次事業者に委託することになるので、自前でのアプリケーション提供業
務が軽減される。
【図面の簡単な説明】
【図１】本発明のＩＣカードサービス取次システムを説明するための模式図である。
【符号の説明】
１０　　ＩＣカードサービス取次事業者
１１　　ＩＣカードサービス取次事業者端末
２０　　提携先ＩＣカードサービス取次事業者
２１　　提携先ＩＣカードサービス取次事業者端末
３０　　アプリケーション提供者
３１　　アプリケーション提供者端末
４０　　ＩＣカード発行者
４１　　ＩＣカード発行者端末
５０　　利用者
５１　　利用者端末
５２　　読み込み書き込み端末
６０　　マルチアプリケーションＩＣカード
６１　　書き込み可能領域
７０　　通信回線
【図１】
2004139546.tif 000003